(57)【特許請求の範囲】
【請求項１】
ディスプレイを備える情報端末の制御方法であって、第１のウィンドウ内に、使用者に選択された施設について、設備データの一覧表を表示させるステップ（ａ）と、
ステップ（ａ）後、前記第１のウィンドウ内に表示された第１指示部を介して施設の設備データを集計した結果の表示が指示されると、使用者により選択された施設について、設備データを、予め設定した判定条件に基づいて集計した結果を、第２のウィンドウ内に表示させるステップ（ｂ）と、
前記第２のウィンドウ内にて、集計結果の一つを使用者が選択すると、その選択された集計結果に対応する設備に関するデータを前記第１のウィンドウ内に一覧表で表示させるステップ（ｃ）とを備える、情報端末の制御方法。
【請求項２】
施設の設備データを集計する前に、集計する項目を設定させるステップ（ｄ）を備え、前記ステップ（ｂ）では、使用者により選択された施設の設備について、前記設定された集計項目に対するデータを一覧表示させる、請求項１記載の情報端末の制御方法。
【請求項３】
前記ステップ（ａ）及び前記ステップ（ｃ）の少なくとも一つを実行後、使用者により前記一覧表内の設備が選択された後、前記第１のウィンドウ内に表示される第２指示部を介して設備の設置位置の表示が指示されると、第３のウィンドウ内に前記選択された設備の設置位置を表示させるステップ（ｅ）を備える、請求項１または２記載の情報端末の制御方法。
【請求項４】
前記ステップ（ａ）、前記ステップ（ｂ）、及び前記ステップ（ｃ）の少なくとも一つを実行後、前記第１のウィンドウ内に表示された第３指示部を介して前記設備データの一覧表をファイル出力する指示がされると、前記設備データの一覧表をファイル出力させるステップ（ｅ）を備える、請求項１または２記載の情報端末の制御方法。
【請求項５】
前記ステップ（ａ）及び前記ステップ（ｃ）の少なくとも一つを実行後、使用者が前記設備データの一覧表中の項目を押下すると、表示中の一覧表の行の並びを、押下した項目における設備データに基づいてソートさせるステップ（ｇ）を備える、請求項１または２記載の情報端末の制御方法。
【請求項６】
前記ステップ（ａ）及び前記ステップ（ｃ）の少なくとも一つを実行後、前記設備データの一覧表中の項目に対して設けられた検索文字列入力欄に文字列を入力すると、文字列が入力された検索文字列入力欄に対応する項目において、入力された文字列を含むデータを持つ設備に関してのみ設備データを表示させるステップ（ｈ）を備える、請求項１または２記載の情報端末の制御方法。
【請求項７】
前記設備が冷媒を使用する機器であり、前記判定条件が特定の冷媒を使用する機器であるか否かである、請求項１または２記載の情報端末の制御方法。
【請求項８】
前記設備が冷媒を使用するコンプレッサーを搭載する機器であり、前記判定条件が特定の定格出力以上の電動機を備える前記機器であるか否かである、請求項１または２記載の情報端末の制御方法。
【請求項９】
ディスプレイを備える情報端末において実行されるプログラムであって、第１のウィンドウ内に、使用者に選択された施設について、設備データの一覧表を表示させる処理（ａ）と、
処理（ａ）後、前記第１のウィンドウ内に表示された第１指示部を介して施設の設備データを集計した結果の表示が指示されると、使用者により選択された施設について、設備データを、予め設定した判定条件に基づいて集計した結果を、第２のウィンドウ内に表示させる処理（ｂ）と、
前記第２のウィンドウ内にて、集計結果の一つを使用者が選択すると、その選択された集計結果に対応する設備に関するデータを前記第１のウィンドウ内に一覧表で表示させる処理（ｃ）とを実行させる、プログラム。
【請求項１０】
施設毎に設備データを集計する前に、集計する項目を設定させる処理（ｄ）を実行させ、前記処理（ｂ）では、使用者により選択された施設の設備について、前記設定された集計項目に対するデータを一覧表示させる、請求項９記載のプログラム。
【発明の詳細な説明】
【技術分野】
【０００１】
本開示は、店舗、ビル等の施設に設けられた設備を管理する設備情報管理システムで利用される情報端末の制御方法及びプログラムに関する。
【背景技術】
【０００２】
店舗、ビル等には多数の設備が設置されているが、この設備データを管理する管理システムが求められている。例えば、店舗内の各種設備機器の点検作業における支援システムが提案されている。
【先行技術文献】
【特許文献】
【０００３】
【特許文献１】特開２００６−４８５８４号公報
【発明の概要】
【発明が解決しようとする課題】
【０００４】
上記従来技術は、管理対象となっている複数の施設、店舗、ビルなどの設備をデータベースに登録し、点検などで担当者が現場に赴いた際に、該当する設備毎に逐次情報を取り出して担当者の端末装置に送付する技術を開示している。
しかしながら現場に赴く前に、点検などを実施するべき設備を複数絞り込んで下調べする場合、必要な絞り込み検索やその表示技術などは開示されていない。
また、店舗本部組織などでは、経年による機器老朽化や冷凍機・空調機器の冷媒管理法規制強化などで設備の更新計画を立案したい場合には、どの施設に懸案の設備がどれくらい配備されているのかを効率よく絞り込んで把握したい要求がある。しかしながら上記従来技術では、このような設備情報を多数の登録データの中から効率よく絞り込んで見易く提示する技術は開示されていない。
本発明は、かかる課題を鑑みて、どの施設に懸案の設備がどれくらい配備されているのかを効率よく絞り込んで分かり易く使用者に提示することを目的としている。
【課題を解決するための手段】
【０００５】
本開示の態様に係る情報端末の制御方法は、ディスプレイを備える情報端末の制御方法であって、第１のウィンドウ内に、使用者に選択された施設について、設備データの一覧表が表示されるステップ（ａ）と、ステップ（ａ）後、前記第１のウィンドウ内に表示された第１指示部を介して施設の設備データを集計した結果の表示が指示されると、使用者により選択された施設について、設備データを予め設定した判定条件に基づいて集計した結果を、第２のウィンドウ内に表示するステップ（ｂ）と、前記第２のウィンドウ内にて、集計結果の一つを使用者が選択すると、その選択された集計結果に対応する設備に関するデータを前記第１のウィンドウ内に一覧表示するステップ（ｃ）とを備える。
【発明の効果】
【０００６】
本開示によれば、設備情報管理システムについて、各施設における設備情報の確認作業及び情報処理の効率が改善される。
【図面の簡単な説明】
【０００７】
【図１】実施の形態１の設備管理システムの概略を示す図。
【図２】実施の形態１の設備管理システムの概略を示す図。
【図３】実施の形態１の情報端末のディスプレイでの表示例を示す図。
【図４】実施の形態１の情報端末の制御方法の一例を示すフロー図。
【図５】実施の形態１の情報端末のディスプレイでの表示例を示す図。
【図６】実施の形態１の情報端末のディスプレイでの表示例を示す図。
【図７】実施の形態１の情報端末の集計項目の設定例を示す図。
【図８】実施の形態１の情報端末のディスプレイの表示例を示す図。
【図９】実施の形態１の変形例の情報端末のディスプレイの表示例を示す図。
【図１０】実施の形態１の変形例の情報端末の制御方法の一例を示すフロー図。
【図１１】実施の形態１の変形例の情報端末のディスプレイの表示例を示す図。
【図１２】実施の形態１の情報端末のディスプレイでの表示例を示す図。
【発明を実施するための形態】
【０００８】
本発明者は、鋭意検討した結果、以下の知見を得た。
【０００９】
上記従来の技術は、点検作業員に設備点検の対象となる特定の店舗の設備情報を携帯端末に表示することは検討されているが、複数の店舗にわたる設備情報を把握するための携帯端末の制御方法については十分検討されていなかった。
【００１０】
そこで、本開示の第１形態は、ディスプレイを備える情報端末の制御方法であって、前記第１のウィンドウ内の第２の領域に、使用者に選択された施設について、設備データの一覧表を表示させるステップ（ａ）と、ステップ（ａ）後、前記第１のウィンドウ内に表示された第１指示部を介して施設の設備データを集計した結果の表示が指示されると、使用者により選択された施設について、設備データを、予め設定した判定条件に基づいて集計した結果を、第２のウィンドウ内に表示させるステップ（ｂ）を備え、ステップ（ｂ）後、前記集計結果の一つを使用者が選択すると、その選択された集計結果に対応する設備に関するデータを前記第１のウィンドウに一覧表で表示させるステップ（ｃ）とを備える情報端末の制御方法を提供する。
【００１１】
本開示の第１形態により、複数の施設の設備管理において、各施設における設備情報のうち、特定の抽出条件に合致する設備情報の確認作業及び情報処理の効率が改善される。
【００１２】
ここで、選択された集計結果に対応する設備とは、選択された集計結果を導く際に使用された集計のための判定条件を満たす設備を意味する。この判定条件は、集計項目に対して設定された判定条件である。
【００１３】
本開示の第２形態は、第１形態において、施設の設備データを集計する前に、集計する項目を設定させるステップ（ｄ）を備え、前記ステップ（ｂ）では、使用者により選択された施設の設備について、前記設定された集計項目に対するデータを一覧表示させる情報端末の制御方法を提供する。
【００１４】
本開示の第２形態によれば、使用者が所望する集計項目が設定できるとともにこの集計項目に対する設備データを確認することができる。
【００１５】
本開示の第３形態は、第１または第２形態において、前記ステップ（ａ）及び前記ステップ（ｃ）の少なくとも一つを実行後、使用者により前記一覧表内の設備が選択された後、前記第１のウィンドウ内に表示される第２指示部を介して設備の設置位置の表示が指示されると、第３のウィンドウ内に選択された設備の設置位置を表示させるステップ（ｅ）を備える情報端末の制御方法を提供する。
【００１６】
本開示の第３形態によれば、所望の設備の設置位置の確認が使用者にとって容易になる。
【００１７】
本開示の第４形態は、第１または第２形態において、前記ステップ（ａ）、前記ステップ（ｂ）及び前記ステップ（ｃ）の少なくとも一つを実行後、前記第１のウィンドウ内に表示された第３指示部を介して前記設備データの一覧表をファイル出力する指示がされると、前記設備データの一覧表をファイル出力させるステップ（ｆ）を備える、情報端末の制御方法を提供する。
【００１８】
本開示の第４形態によれば、設備データの一覧が表示されたウィンドウと同一ウィンドウ内で、ファイル出力の指示が可能であるため、所望の一覧が表示されていることを確認しながらファイル出力が可能になり、誤ってファイル出力の指示がなされることが抑制される。
【００１９】
本開示の第５形態は、第１または第２形態において、前記ステップ（ａ）及び前記ステップ（ｃ）の少なくとも一つを実行後、使用者が前記設備データの一覧表中の項目を押下すると、表示中の一覧表の行の並びを、押下した項目における設備データに基づいてソートさせるステップ（ｇ）を備える情報端末の制御方法を提供する。
【００２０】
本開示の第５形態によれば、使用者が所望する並び順で設備データを確認することができる。
【００２１】
ここで、「押下」とは、例えば、クリック操作、タップ操作等を意味する。
【００２２】
本開示の第６形態は、第１または第２形態において、前記ステップ（ａ）及び前記ステップ（ｃ）の少なくとも一つを実行後、前記設備データの一覧表中の項目に対して設けられた検索文字列入力欄に文字列を入力すると、文字列が入力された検索文字列入力欄に対応する項目において、入力された文字列を含むデータを持つ設備に関してのみ設備データを表示させるステップ（ｈ）を備える情報端末の制御方法を提供する。
【００２３】
本開示の第６形態によれば、使用者が所望する文字列を含んだ設備データを確認することができる。
【００２４】
本開示の第７形態は、第１または第２形態において、前記設備が冷媒を使用する機器であり、前記判定条件が特定の冷媒を使用する機器であるか否かである情報端末の制御方法を提供する。
【００２５】
本開示の第７形態によれば、冷媒管理の法規制に伴う特定対象冷媒使用機器の抽出が行い易くなる。
【００２６】
本開示の第８形態は、第１または第２形態において、前記設備が冷媒を使用するコンプレッサーを搭載する機器であり、前記判定条件が特定の定格出力以上の電動機を備える前記機器であるか否かである情報端末の制御方法を提供する。
【００２７】
本開示の第８形態では、冷媒管理の法規制に伴う定期的な法定点検対象機器の抽出が容易になる。
【００２８】
本開示の第９形態は、ディスプレイを備える情報端末において実行されるプログラムであって、第１のウィンドウ内に、使用者に選択された施設について、設備データの一覧表を表示させる処理（ａ）と、処理（ａ）後、前記第１ウィンドウ内に表示された第１指示部を介して施設の設備データを集計した結果の表示が指示されると、使用者により選択された施設について、設備データを、予め設定した判定条件に基づいて集計した結果を、第２のウィンドウ内に表示させる処理（ｂ）と、前記第２のウィンドウ内にて、集計結果の一つを使用者が選択すると、その選択された集計結果に対応する設備に関するデータを前記第１のウィンドウ内に一覧表で表示させる処理（ｃ）とを実行させるプログラムを提供する。
【００２９】
本開示の第９形態によれば、複数の施設の設備管理において、各施設における設備情報のうち、特定の抽出条件に合致する設備情報の確認作業及び情報処理の効率が改善される。
【００３０】
本開示の第１０形態は、施設毎に設備データを集計する前に、集計する項目を設定させる処理（ｄ）を実行させ、前記処理（ｂ）では、使用者により選択された施設の設備について、前記設定された集計項目に対するデータを一覧表示させる、プログラムを提供する。
【００３１】
本開示の第１０形態によれば、使用者が所望する集計項目が設定できるとともにこの集計項目に対する設備データを確認することができる。
【００３２】
以下、本開示の一態様に係る情報端末の制御方法について、図面を参照しながら具体的に説明する。
【００３３】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
（実施の形態１）
［装置構成］
図１は、実施の形態１にかかる設備情報管理システム１００の概略を示す図である。
図１に示す例では、本実施の形態の設備情報管理システム１００は、サーバ１０２と、情報端末１０６とを備える。
【００３４】
サーバ１０２と、情報端末１０６は、無線ネットワークまたは有線ネットワーク等の通信ネットワーク１０４で接続されている。サーバ１０２は、複数の施設に備えられた設備に関するデータを保持している。ここで、施設は、いずれの形態であってもよいが、例えば、店舗、ビル等が例示される。
図２は、実施の形態１の設備情報管理システム１００の概略を示す図である。図２に示すように情報端末１０６は、制御器２０１と、表示器２０２と、通信器２０３とを備える。
制御器２０１は、表示器２０２を制御する。制御器２０１は、制御機能を有するものであればよく、演算処理部（図示せず）と、制御プログラムを記憶する記憶部（図示せず）とを備える。演算処理部としては、ＭＰＵ、ＣＰＵが例示される。記憶部としては、メモリーが例示される。制御器は、集中制御を行う単独の制御器で構成されていてもよく、互いに協働して分散制御を行う複数の制御器で構成されていてもよい。
【００３５】
表示器２０２は、制御器２０１による制御により、情報端末のディスプレイ（図示せず）に対して、画面表示を行う機能を備える。
【００３６】
通信器２０３は、有線ネットワークまたは無線ネットワーク等の通信ネットワーク１０４を介してサーバ１０２と通信する。通信器２０３は、サーバ１０２から設備データを受信する。
［動作］
以下に、設備情報管理システム１００における情報端末１０６の動作の一例について説明する。
【００３７】
制御器２０１は、表示器２０２を用いて以下の動作を実行する。すなわち、ディスプレイに複数の施設が選択肢として列挙された第１のウィンドウを表示するステップと、使用者により複数の施設の中から少なくとも一つの施設が選択されると、第１のウィンドウ内の第２の領域に、使用者に選択された施設の設備データの一覧表が表示されるステップとを実行する。
【００３８】
図３は、実施の形態１の情報端末のディスプレイでの表示例を示す図である。図４は、実施の形態１の情報端末の制御方法の一例（「通常モード」）を示すフロー図である。図３及び図４を用いて、情報端末１０６の具体的な動作について説明する。なお、本例は、建築物が施設の場合である。
【００３９】
図４に示すように、複数の施設のそれぞれに設けられた設備に関するデータを確認するためのプログラムが、情報端末１０６で起動されると（スタート）、使用者による画面操作のイベント入力が待たれる（ステップＳ４００）。イベントが入力されると（ステップＳ４０２でＹｅｓ）、それが施設の選択か否かが判定される（ステップＳ４０４）。施設の選択であるときは（ステップＳ４０４でＹｅｓ）、使用者により選択され、データベース１０１で参照したい施設をデータベース１０１に通知する（ステップＳ４０６）。そして、選択された設備に関するデータベース１０１をサーバ１０２から呼び出し、ディスプレイに一覧表示する（ステップＳ４０８）。
【００４０】
ここで、ステップＳ４０８でのディスプレイ上の表示画面の一例について説明する。
図３に示すように、ディスプレイ上に第１のウィンドウ３００が表示され、第１のウィンドウ３００は、施設選択サブ画面３０１と、設備一覧表サブ画面３０４とを備える。施設選択サブ画面３０１は、本開示の第１の領域に表示される表示画面の一例であり、設備一覧表サブ画面３０４は、本開示の第２の領域に表示される表示画面の一例である。
【００４１】
施設選択サブ画面３０１では、使用者により選択された施設Ａ、施設Ｂ、施設Ｃの冒頭が使用者により選択されていない施設Ｄ、施設Ｅ、施設Ｆと区別して表示されている。具体的には、使用者により選択された施設Ａ、施設Ｂ、施設Ｃの冒頭にマークが表示され、施設Ｄ、施設Ｅ、施設Ｆの冒頭にはマークが表示されていない。なお、図３に示されるような、チェックボックス３０２による施設の選択方法以外に、管理する施設の数が多い場合の施設選択方法としては、次のようなものがある。例えば、施設名に含まれる文字列の一部を図示されない入力欄に記入後、データベースを検索して所望の施設を選択する方法がある。また、施設が属する地域でまとめて複数施設を同時に選択する方法であってもよい。なお、地域を区切る単位としては、適宜設定できる。例えば、首都圏、近畿などの広域や、横浜市、渋谷区などの比較的狭い区域を階層的に構成することができる。また、施設を管理する会社組織の階層構造（本部、支社、支店など）に従って、組織配下の複数施設をまとめて選択する方法であってもよい。また、これらの方法を組合せた方法であっても良い。
【００４２】
また、使用者による施設の選択については、図３に示すように、第１のウィンドウ３００内に第１の領域に施設選択サブ画面３０１を表示し、この画面上で施設を選択する形態について示したが、これに限定されるものではない。設備情報管理システム１００のアプリケーションのコンソール画面のような、現使用者の設備情報管理システム１００のセッションに対して一つだけ存在する制御画面内に、施設を選択する選択部を配置することもできる。つまり、図３に示すように、施設を選択する選択部を、必ずしも第１のウィンドウ３００内で設備データの一覧表と共に表示させる必要はない。
設備一覧表サブ画面３０４には、使用者により選択された施設Ａ、施設Ｂ、施設Ｃにそれぞれ設けられた設備に関するデータの一覧表（設備一覧表）が表示されている。
【００４３】
一覧表には、各設備の属性について、データが表示されている。属性としては、設備の種類を示すデータ、設備の名称、設備のメーカ、設備の型式等が挙げられる。設備の種類としては、例えば、店舗設備ならば、空調機器、冷凍機、ショーケース、照明、厨房設備、昇降機、防犯設備、電力設備、ガス設備、上下水道設備等が例示される。本例では、設備の種類が空調機器であるため、設備の種類として、室外機、室内機等の更に細分化された種類が属性として表示される。また、空調機器に使用される冷媒の種類を示すデータが、設備の属性として表示される。本例では、冷媒の種類を示すデータとして冷媒の名称が表示されている。
【００４４】
次に、イベントが入力され、そのイベントが施設の選択でないとき（ステップＳ４０４でＮｏ）、設備一覧表サブ画面３０４への操作の種類についての判定及び判定に応じた動作を実行する。具体的には、操作の種類が、一覧表の同じ列中において、使用者が指定した文字列の検索であるときは、使用者が指定した文字列を含む行を表に並べる（ステップＳ４１０）。例えば、図３に示すように、項目「大分類」に対して設けられた検索文字列入力欄３０６に文字列「空調」が入力されると、施設Ａ、施設Ｂ、及び施設Ｃの中で「大分類」が「空調」である設備に絞り込まれ表示される。また、項目「小分類」に対して設けられた検索文字列入力欄３０６に文字列「室外機」が入力されると、「小分類」が「室外機」である設備に更に絞り込まれる。
また、操作の種類が、使用者が指定した列の成分でのソートであるときは、ソートして行を表に並べる（ステップＳ４１２）。例えば、図３に示すように、項目ラベルが記載されている箇所は、項目ラベル兼ソートボタン３０８となっており、ここを使用者が押下すると、押下された項目における設備データに基づいて設備データの一覧表がソートされる。ここで、押下は、クリック操作、タップ操作等が例示される。
また、操作の種類が、使用者により選択された設備の位置を図示する指示であるとき、設備の位置をフロア図上に表示する（ステップＳ４１４）。ここで、図３及び図５を用いて、ステップＳ４１４でのディスプレイ上での表示画面の一例について説明する。図５は、実施の形態１の情報端末のディスプレイでの表示例を示す図である。
【００４５】
図３に示すように、使用者により施設Ａの２台の設備（設備名：ＰＡＣ６、ＰＡＣ７）が選択されると、使用者により選択された設備と選択されてない設備が区別されて表示される。具体的には、使用者が選択した設備の冒頭にあるチェックボックス３１０にマークが表示され、他の設備の冒頭にあるチェックボックス３１０にはマークが表示されていない。ここで、第１のウィンドウ３００に表示された、設備の位置の図示を指示するための指示部３１２を介して使用者から前記指示がなされると、図５に示すように、第２のウィンドウ５００に使用者により選択された設備の設置位置を示す図面が表示される。具体的には、使用者により選択された設備の設備位置に対応する図面上の位置に設備ラベル５０１及び設備シンボル５０２が表示されている。ここで、指示部３１２を介した使用者からの指示は、例えば、使用者により指示部３１２を押下することで実行される。押下は、クリック操作、タップ操作等が例示される。第２のウィンドウ５００には、上記図面をファイル出力することを指示する指示部５０３が表示されている。使用者により指示部５０３を介してファイル出力が指示されると、第２のウィンドウ５００の上記図面が、ｐｄｆ等のファイルに変換されてファイル出力される。ここで、指示部５０３を介した使用者からの指示は、例えば、使用者により指示部５０３を押下することで実行される。押下は、クリック操作、タップ操作等が例示される。
【００４６】
また、使用者による操作の種類が、施設毎に設備データを集計した結果の表示であるとき、使用者により選択された施設について、予め設定した集計項目に対する集計データが表示される（ステップＳ４１６）。上記集計項目は、判定条件を設け、判定条件を満たす設備の数を集計する項目を含む。
【００４７】
ここで、図３、図６及び図７を用いて、ステップＳ４１６でのディスプレイ上での画面表示の一例について説明する。
【００４８】
図６は、実施の形態１の情報端末のディスプレイでの表示例を示す図である。図７は、実施の形態１の情報端末の集計項目の設定例を示す図である。
【００４９】
まず、図３に示すように、施設選択サブ画面３０１で、施設Ａ、施設Ｂ、施設Ｃが使用者により選択された状態で、施設毎の設備データの集計を指示する指示部３１４を介して使用者により施設毎の設備データの集計が指示されると、図６に示すような集計結果が第３のウィンドウ６００に表示される。図６では、使用者により選択された施設Ａ、施設Ｂ、施設Ｃについて、施設毎に予め設定された集計項目に対する集計データが集計一覧表示画面６０１に表示される。本例では、集計項目として施設床面積、設備の合計馬力、施設に設けられた空調機器のうち室内機の台数、冷媒Ｒ２２が使用されている室外機の台数が例示されている。
【００５０】
なお、集計結果の数値に下線があるもの（リンク表示６０３など）は、集計対象となった個々の設備をデータベース１０１上で特定してその件数をカウントした結果値であり、それらの設備情報へのハイパーリンクが張られていることを示している。一方、数値に下線がないものは、一覧表中の数値を単純加算した結果（例えば合計馬力）など、一つ一つの設備に直接紐づかないものであり、したがってハイパーリンクは張られていない。また、集計項目ラベルを示した箇所は、項目ラベル兼ソートボタン６０２となっており、ここを押下することで、押下された項目におけるデータに基づいて集計結果の一覧表がソートされる。ここで、押下は、クリック操作、タップ操作等が例示される。また、第６のウィンドウは、一旦表示されると、指示部６０５を介して第３のウィンドウ６００を閉じる指示が実行されるまで表示され続ける。ここで、指示部６０５を介した使用者からの指示は、例えば、使用者により指示部６０５を押下することで実行される。押下は、クリック操作、タップ操作等が例示される。
上記集計項目は、図７に示すような、第４のウィンドウ７００Ａに表示される集計項目画面７０１上で使用者により予め設定される。設定された集計項目７０２は、集計項目画面７０１上に一覧表示される。また、第４のウィンドウ７００Ａには、集計項目の新規追加を指示する指示部７０３が表示されており、使用者により指示部７０３を介して集計項目の新規追加が実行される。ここで、指示部７０３を介した使用者からの指示は、例えば、使用者により指示部７０３を押下することで実行される。押下は、クリック操作、タップ操作等が例示される。
【００５１】
また、図７に示すように、設定される集計項目は、判定条件が設定され、判定条件を満たす設備の数の集計を行う。これは、第５のウィンドウ７００Ｂに表示された条件設定画面７０６上で設定される。第５のウィンドウには、集計項目名を入力する入力欄７０８と、入力欄７０８に入力された集計項目に対して判定条件の追加を指示する指示部７１０と判定条件の登録を指示する指示部７１６と判定条件の削除を指示する指示部７１４が表示されている。入力された集計項目に対する判定条件の追加を指示部７１０を介して指示し、表７１２に判定条件の入力後、入力された集計項目に対する判定条件の登録が指示部７１６を介してなされる。また、判定条件を削除するときは、指示部７１４を介して指示する。ここで、指示部７１０を介した使用者からの指示は、例えば、使用者により指示部７１０を押下することで実行される。押下は、クリック操作、タップ操作等が例示される。指示部７１４を介した使用者からの指示は、例えば、使用者により指示部７１４を押下することで実行される。押下は、クリック操作、タップ操作等が例示される。また、指示部７１６を介した使用者からの指示は、例えば、使用者により指示部７１６を押下することで実行される。押下は、クリック操作、タップ操作等が例示される。なお、図７の７００Ｂの例では、集計項目に対して設定される判定条件が、「空調の室外機で冷媒Ｒ２２を使用するもの」に「一致」するという条件である場合を示しているが、これに限定されるものではない。例えば、「コンプレッサーの電動機定格出力」が設備一覧表の項目に存在する際に、「７．５キロワット以上」の設備というように、設備の性能の数値比較を判定条件として設定することも可能である。この際、上記のように「以上」に限らず、「以下」「未満」「より大きい」といった条件設定も可能である。なお、第４のウィンドウ７００Ａおよび第５のウィンドウ７００Ｂは、条件設定・変更時のみに起動させるもので、通常は非表示のウィンドウである。
【００５２】
また、使用者による操作の種類が、使用者により選択された施設の設備データの一覧表をファイルに出力する指示であるとき、上記一覧表はｐｄｆ、ｘｌｓ等のファイルに変換されて出力される（ステップＳ４１８）。
【００５３】
ここで、図３を用いて、ステップＳ４１８での情報端末１０６の制御方法の一例について説明する。図３に示すように、第１のウィンドウ３００には、設備データの一覧表のファイル出力を指示するための指示部３１６が表示されている。設備一覧表サブ画面３０４に使用者により選択された施設に設けられた設備データの一覧表が表示されているときに、使用者が指示部３１６を介して、ファイル出力の指示を行うと、上記一覧表がファイル変換されて出力される。ここで、指示部３１６を介した使用者からの指示は、例えば、使用者により指示部３１６を押下することで実行される。押下は、クリック操作、タップ操作等が例示される。
【００５４】
また、使用者による操作の種類が、設備データの一覧表内のデータのうちリンクが張られているデータについて使用者が選択を行うと、リンク先の画面を表示する（ステップＳ４２０）。
ここで、図３及び図８を用いて、ステップＳ４２０での情報端末１０６の制御方法の一例について説明する。
【００５５】
図３に示すように、一覧表内のデータの中には、リンクが張られていることを示すデータが表示されている。使用者がこのデータのリンク先を選択する操作を行うと、図８に示すような、リンク先の画面が表示される。本例では、図３に示すように、リンク表示３１８のように設備名にリンクが張られており、使用者が所定の設備を選択すると、図８に示すように、第６のウィンドウ８００上に選択された設備の詳細データが示された表示画面が表示される。また、第６のウィンドウ８００には、これに表示された設備の詳細データのファイル出力を指示する指示部８０１と保守・修理一覧の表示を指示する指示部８０２が表示される。使用者が指示部８０１を介してファイル出力を指示すると、第６のウィンドウ８００に表示された設備の詳細データがｐｄｆ、ｘｌｓ等にファイル変換され出力される。ここで、指示部８０１を介した使用者からの指示は、例えば、使用者により指示部３１２を押下することで実行される。押下は、クリック操作、タップ操作等が例示される。使用者が指示部８０２を介して保守・修理一覧の表示を指示すると、第６のウィンドウ８００には、詳細データ表示中の設備の過去の保守点検履歴または故障修理履歴の一覧表が、図８に示されている詳細データに代えて表示される。また、第６のウィンドウ８００には、詳細データを表示したままで、別ウィンドウを立ち上げ、詳細データ表示中の設備の過去の保守点検履歴または故障修理履歴の一覧表をこの別ウィンドウに表示してもよい。ここで、指示部８０１を介した使用者からの指示は、例えば、使用者により指示部８０１を押下することで実行される。押下は、クリック操作、タップ操作等が例示される。また、指示部８０２を介した使用者からの指示も、上記指示部８０１を介した使用者からの指示の場合と同様である。
（変形例）
次に、第１の実施の形態の変形例にかかる情報端末の制御方法について説明する。
【００５６】
装置構成については、制御器２０１の記憶部（図示せず）が、本例の制御方法を実行するプログラムを保持している点以外は、第１の実施の形態と同様であるので、その説明を省略する。
【００５７】
以下に、本変形例における、設備情報管理システム１００の情報端末１０６の動作の一例について説明する。
【００５８】
制御器２０１は、表示器２０２を用いて以下の動作を実行する。すなわち、使用者により選択されたデータに該当する設備に関するデータが、第１のウィンドウに一覧表示されるステップを実行する。
【００５９】
図９は、実施の形態１の変形例の情報端末のディスプレイの表示例を示す図である。図１０は、実施の形態１の変形例の情報端末の制御方法の一例を示すフロー図である。図６、図９及び図１０を用いて本変形例の情報端末の具体的な動作について説明する。なお、本例も、建築物が施設の場合である。
【００６０】
第３のウィンドウ６００に表示されている施設毎の集計データのうち、判定条件が設定された集計項目に対するデータから所定のデータ（ここでは、リンク表示６０３）を使用者が選択すると、図９に示すように第１のウィンドウ３００では、選択されたデータに該当する（ここでは施設Ａに属し、判定条件表７１２の「空調・室外機で冷媒Ｒ２２を使用」の）設備に関するデータが一覧表示（絞込み表示）される（ステップＳ１０００）。また、第１のウィンドウ３００では、「絞込み表示中」のアラート表示９０１と絞込み表示の解除を指示する指示部９０２が表示され、施設毎の集計を指示する指示部３１４は、グレーアウトで表示される（ステップＳ１００２）。使用者による画面操作のイベント入力が待たれ（ステップＳ１００４）、イベントが入力された否かが判定される（ステップＳ１００６）。イベントが入力されると（ステップＳ１００６でＹｅｓ）、設備一覧表サブ画面３０４への操作の種類についての判定及び判定に応じた動作を実行する。
具体的には、以下の通りである。
【００６１】
操作の種類が、一覧表の同じ列中において、使用者が指定した文字列の検索であるときは、使用者が指定した文字列を含む行を表に並べる（ステップＳ１００８）。また、操作の種類が、使用者が指定した列の成分でのソートであるときは、ソートして行を表に並べる（ステップＳ１０１０）。また、操作の種類が、使用者により選択された設備の位置を図示する指示であるとき、設備の位置をフロア図上に表示する（ステップＳ１０１２）。
【００６２】
ここで、図９及び図１１を用いて、ステップＳ１０１２でのディスプレイ上での表示画面の一例について説明する。図１１は、本変形例の情報端末１０６のディスプレイでの表示例を示す図である。
【００６３】
図１１に示すように、使用者により施設Ａの３台の設備（設備名：ＰＡＣ１、ＰＡＣ２、ＰＡＣ５）が選択されると、使用者が選択した設備の冒頭にマークが表示される。ここで、第１のウィンドウ３００に表示された、設備の位置の図示を指示するための指示部３１２を介して使用者から前記指示がなされると、図１１に示すように、第７のウィンドウ１１００に使用者により選択された設備の設置位置を示す図面が表示される。第７のウィンドウ１１００には、上記図面をファイル出力することを指示する指示部１１０１が表示されている。使用者により指示部１１０１を介してファイル出力が指示されると、第７のウィンドウ１１００の上記図面がｐｄｆ等のファイルに変換されてファイル出力される。ここで、指示部１１０１を介した使用者からの指示は、例えば、使用者により指示部１１０１を押下することで実行される。押下は、クリック操作、タップ操作等が例示される。
【００６４】
また、使用者による操作の種類が、施設毎に設備データを集計した結果の表示であるとき、ディスプレイに表示された表示画面は変化しない（ステップＳ１０１４）。
【００６５】
また、使用者による操作の種類が、使用者により選択された施設の設備データの一覧表をファイルに出力する指示であるとき、上記一覧表はｐｄｆ、ｘｌｓ等のファイルに変換されて出力される（ステップＳ１０１６）。
【００６６】
ここで、図９を用いて、ステップＳ１０１６での情報端末１０６の制御方法の一例について説明する。図９に示すように、第１のウィンドウ３００には、設備データの一覧表のファイル出力を指示するための指示部３１２が表示されている。設備一覧表サブ画面３０４に、施設Ａで冷媒Ｒ２２を使用している設備を絞込み表示しているときに、使用者が指示部３１６を介して、ファイル出力の指示を行うと、絞込み表示されている設備データの一覧表がファイル変換されて出力される。
【００６７】
また、使用者による操作の種類が、設備データの一覧表内のデータのうちリンクが張られているデータについての選択であるとき、リンク先の画面を表示する（ステップＳ１０１８）。リンク先の画面としては、例えば、図８に示すような表示画面が表示される。詳細は、実施の形態１と同様であるので、その説明を省略する。
【００６８】
また、使用者による操作の種類が、絞込み表示の解除であるとき、絞込み表示を解除する（ステップＳ１０１９）。
【００６９】
ここで、図３及び図９を用いて、ステップＳ１０１９での情報端末１０６の制御方法の一例について説明する。図９に示すように、第１のウィンドウ３００には、絞込み表示を解除することを指示する指示部９０２が表示されている。使用者が指示部９０２を介して絞込み表示の解除を指示すると、絞込み表示は解除され、第１のウィンドウ３００には、絞込み表示される前の設備データの一覧表が表示される。つまり、図１２に示すような、使用者により選択された施設に設けられた設備に関するデータの一覧表が表示される。なお、図１２に示される、設備データの一覧表は、図３と異なり、文字列検索等の検索条件による絞込みが行われていない、使用者により選択された施設の全設備に関する設備データの一覧表示である。ここで、指示部９０２を介した使用者からの指示は、例えば、使用者により指示部９０２を押下することで実行される。押下は、クリック操作、タップ操作等が例示される。
【００７０】
また、使用者による操作の種類が、異なる施設の選択であるとき、絞込み表示を解除し、使用者により選択された施設に設けられた設備に関するデータの一覧表が表示される（ステップＳ１０２０）。
【００７１】
設備一覧表サブ画面３０４への操作の種類についての判定及び判定に応じた動作の実行が完了すると、通常モードすなわち、絞込み表示が解除された状態であるか否かが判定される（ステップＳ１０２２）。通常モードである場合（ステップＳ１０２２でＹｅｓ）、通常モードに移行する。通常モードでない場合（ステップＳ１０２２でＮｏ）、設備データの一覧表示が終了しているか否かが判定され（ステップＳ１０２４）、終了しているとき、動作フローを終了する。設備データの一覧表示が終了していないとき（ステップ１０２４でＮｏ）、ステップＳ１００４に戻る。
【産業上の利用可能性】
【００７２】
本開示は、設備管理システムに利用される情報端末について、各建築物における設備情報の確認作業及び情報処理の効率が改善され、設備管理システムに利用される情報端末の制御方法として有用である。
【符号の説明】
【００７３】
１００  設備情報管理システム
１０１  データベース
１０２  サーバ
１０４  通信ネットワーク
１０６  情報端末
２０１  制御器
２０２  表示器
２０３  通信器
３００  第１のウィンドウ
３０１  施設選択サブ画面
３０２  チェックボックス
３０４  設備一覧表サブ画面
３０６  検索文字列入力欄
３０８  項目ラベル兼ソートボタン
３１０  チェックボックス
３１２  指示部
３１４  指示部
３１６  指示部
３１８  リンク表示
５００  第２のウィンドウ
５０１  設備ラベル
５０２  設備シンボル
５０３  指示部
６００  第３のウィンドウ
６０１  集計一覧表示画面
６０２  項目ラベル兼ソートボタン
６０３  リンク表示
６０５  指示部
７００Ａ  第４のウィンドウ
７００Ｂ  第５のウィンドウ
７０１  集計項目画面
７０２  集計項目
７０３  指示部
７０６  条件設定画面
７０８  入力欄
７１０  指示部
７１２  判定条件表
７１４  指示部
７１６  指示部
８００  第６のウィンドウ
８０１  指示部
８０２  指示部
９０１  アラート表示
９０２  指示部
１１００  第７のウィンドウ
１１０１  指示部
【図１】
0006417541.tif 000002
【図２】
0006417541.tif 000003
【図３】
0006417541.tif 000004
【図４】
0006417541.tif 000005
【図５】
0006417541.tif 000006
【図６】
0006417541.tif 000007
【図７】
0006417541.tif 000008
【図８】
0006417541.tif 000009
【図９】
0006417541.tif 000010
【図１０】
0006417541.tif 000011
【図１１】
0006417541.tif 000012
【図１２】
0006417541.tif 000013